(57)【特許請求の範囲】
【請求項１】
医療画像データを表示部に表示する医療画像表示装置において、
前記表示部に線分を表示する線手段と、
この線手段が表示する線分を、ｎ等分（ｎ：自然数）の指示によりｎ等分する点を前記表示部に表示する等分手段と、
前記線手段を操作し、前記等分手段にｎ等分の指示を与える入力手段と
を有することを特徴とする医療画像表示装置。
【請求項２】
医療画像データを表示部に表示する医療画像表示装置において、
前記表示部に線分を表示する線手段と、
この線手段の線分に、指示された点を通過する平行な平行線を、前記表示部に表示する平行線手段と、
前記線手段を操作し、前記平行線手段に点を指示し、平行線の指示を与える入力手段と
を有することを特徴とする医療画像表示装置。
【請求項３】
平行線手段は、線分と平行線との距離を、医療画像データの原寸で表示部に表示することを特徴とする請求項２記載の医療画像表示装置。
【請求項４】
医療画像データを表示部に表示する医療画像表示装置において、
前記表示部に線分を表示する線手段と、
この線手段の線分に指示された点から垂直な垂線を、前記表示部に表示する垂線手段と、
前記線手段を操作し、垂線手段に点を指示し、垂線の指示を与える入力手段と
を有することを特徴とする医療画像表示装置。
【請求項５】
垂線手段は、垂線の長さを、医療画像データの原寸で表示部に表示することを特徴とする請求項４記載の医療画像表示装置。
【請求項６】
医療画像データを表示部に表示する医療画像表示方法において、
入力手段により操作され、前記表示部に線分を表示し、
この線分を、前記入力手段により与えられたｎ等分（ｎ：自然数）の指示により、ｎ等分する点を前記表示部に表示することを特徴とする医療画像表示方法。
【請求項７】
医療画像データを表示部に表示する医療画像表示方法において、
入力手段により操作され、前記表示部に線分を表示し、
この線分に、前記入力手段により指示された点を通過する平行な平行線を、前記表示部に表示することを特徴とする医療画像表示方法。
【請求項８】
医療画像データを表示部に表示する医療画像表示方法において、
入力手段により操作され、前記表示部に線分を表示し、
この線分に、前記入力手段により指示された点から垂直な垂線を、前記表示部に表示することを特徴とする医療画像表示方法。
【発明の詳細な説明】
【０００１】
【発明の属する技術分野】
本発明は、医療画像データを表示する医療画像表示装置及び医療画像表示方法に関し、医療画像データの診断補助ができる医療画像表示装置及び医療画像表示方法に関するものである。
【０００２】
【従来の技術】
従来、病院では、レントゲン装置等で撮影したものは、フィルムで診断等を行っていたが、近年、ＤＩＣＯＭ（Digital Imaging and Communications in Medicine）規格により、医療画像データとして、画像サーバに保存し、この医療画像データを表示して診断を行うようになってきた。このような装置は、例えば、”医療画像サーバーImageARQS”，横河技報，Ｖｏｌ．４０Ｎｏ．３（１９９６）ｐｐ．１２３〜１２６（ImageARQSは横河電機（株）の登録商標です。）等に記載されている。また、ＤＩＣＯＭ規格とは、メーカーや機種の垣根を越えて、各機器間をネットワークで接続するためのもので、各種の医療画像とその付随情報を相互にやりとりするための規格である。
【０００３】
医療画像表示装置は、画像サーバから医療画像データを呼び出し、モニタに表示していた。そして、医師はモニタに表示された医療画像により診断を行っていた。このような場合、医師は、目視で臓器等の大きさの比等の判断を行っているが、見誤ることがある。
【０００４】
また、整形外科においては、医療画像上に線を引いて、各部の長さの計測を行うが、計測が上手くできないという問題点があった。
【０００５】
【発明が解決しようとする課題】
そこで、本発明の目的は、医療画像データの診断補助ができる医療画像表示装置及び医療画像表示方法を実現することにある。
【０００６】
第１の発明は、
医療画像データを表示部に表示する医療画像表示装置において、
前記表示部に線分を表示する線手段と、
この線手段が表示する線分を、ｎ等分（ｎ：自然数）の指示によりｎ等分する点を前記表示部に表示する等分手段と、
前記線手段を操作し、前記等分手段にｎ等分の指示を与える入力手段と
を有することを特徴とするものである。
【０００７】
第２の発明は、
医療画像データを表示部に表示する医療画像表示装置において、
前記表示部に線分を表示する線手段と、
この線手段の線分に、指示された点を通過する平行な平行線を、前記表示部に表示する平行線手段と、
前記線手段を操作し、前記平行線手段に点を指示し、平行線の指示を与える入力手段と
を有することを特徴とするものである。
【０００８】
第３の発明は、
医療画像データを表示部に表示する医療画像表示装置において、
前記表示部に線分を表示する線手段と、
この線手段の線分に指示された点から垂直な垂線を、前記表示部に表示する垂線手段と、
前記線手段を操作し、垂線手段に点を指示し、垂線の指示を与える入力手段と
を有することを特徴とするものである。
【０００９】
第４の発明は、
医療画像データを表示部に表示する医療画像表示方法において、
入力手段により操作され、前記表示部に線分を表示し、
この線分を、前記入力手段により与えられたｎ等分（ｎ：自然数）の指示により、ｎ等分する点を前記表示部に表示することを特徴とするものである。
【００１０】
第５の発明は、
医療画像データを表示部に表示する医療画像表示方法において、
入力手段により操作され、前記表示部に線分を表示し、
この線分に、前記入力手段により指示された点を通過する平行な平行線を、前記表示部に表示することを特徴とするものである。
【００１１】
第６の発明は、
医療画像データを表示部に表示する医療画像表示方法において、
入力手段により操作され、前記表示部に線分を表示し、
この線分に、前記入力手段により指示された点から垂直な垂線を、前記表示部に表示することを特徴とするものである。
【００１２】
【発明の実施の形態】
以下図面を用いて本発明の実施の形態を説明する。図１は本発明の一実施例を示した構成図である。
【００１３】
図において、画像サーバＳＶは、ネットワークＬに接続し、レントゲン装置、ＣＴ（computed tomography）装置，ＭＲ（magnetic resonance）装置等のモダリティ（図示せず）からの複数の医療画像データを格納する。医療画像データは、ＤＩＣＯＭ規格により規定されており、ピクセルピッチの情報、つまり、原寸の大きさ情報も含まれている。医療画像表示装置１０は、ネットワークＬに接続し、画像サーバＳＶから所望の医療画像データを取り出して表示する。
【００１４】
医療画像表示装置１０は、モニタ１１、制御部１２、入力手段１３を有する。モニタ１１は表示部で、例えばＣＲＴ、ＬＣＤ等である。制御部１２は、モニタ１１と接続し、画像手段１２１、線手段１２２、等分手段１２３、平行線手段１２４、垂線手段１２５を有する。画像手段１２１は医療画像データをモニタ１１に表示する。
【００１５】
線手段１２２は、モニタ１１に線を表示すると共に、医療画像データのピクセルピッチに基づいて、長さを医療画像データの原寸でモニタ１１に表示する。
【００１６】
等分手段１２３は、線分手段１２２が表示する線の長さをｎ等分（ｎ：自然数）し、ｎ等分点をモニタ１１に表示すると共に、医療画像データのピクセルピッチに基づいて、ｎ等分の長さを医療画像データの原寸でモニタ１１に表示する。
【００１７】
平行線手段１２４は、線手段１２１の線に平行な平行線を、モニタ１１に表示すると共に、医療画像データのピクセルピッチに基づいて、線と平行線との距離を医療画像データの原寸でモニタ１１に表示する。
【００１８】
垂線手段１２５は、線手段１２２の線に垂直な垂線を、モニタ１１に表示すると共に、医療画像データのピクセルピッチに基づいて、垂線の長さを医療画像データの原寸でモニタ１１に表示する。入力手段１３は、例えば、キーボード、マウス等で、制御部１２を操作する。
【００１９】
このような装置の動作を以下で説明する。患者は、指定された検査日時に、モダリティがある場所に行き、撮影を行う。モダリティは、ネットワークＬを介して、撮影した結果である医療画像データを画像サーバＳＶに格納する。後日、医師は、医療画像表示装置１０を入力手段１３により操作し、医療画像データを、ネットワークＬを介して、画像サーバＳＶから取り出す。
【００２０】
そして、画像手段１２１が医療画像データをモニタ１１に表示する。医師は入力手段１３により制御部１２を操作し、線手段１２２が線１１１をモニタ１１に表示すると共に、医療画像データのピクセルピッチに基づいて、線１１１の長さを医療画像データの原寸でモニタ１１に表示する。入力手段１３によりｎ等分、例えば、３等分の指示を与え、等分手段１２３が、線１１１の長さを３等分し、３等分の長さごとに、端点ａ，ｂと等分点ｃ，ｄとを表示する。そして、等分手段１２３は、線１１１のｎ等分の長さも、医療画像データの原寸でモニタ１１に表示する。医師は表示結果により診断を行う。
【００２１】
このように、等分手段１２３により、線１１１の等分点ｃ，ｄをモニタ１１に表示するので、医療画像の大きさの比等を判断できる。つまり、判断がすばやく、見誤ることなく、診断を行うことができる。
【００２２】
また、医師は、図２に示すように、入力手段１３により制御部１２を操作し、線手段１２２が線１１２をモニタ１１に表示すると共に、医療画像データのピクセルピッチに基づいて、線１１２の長さを医療画像データの原寸でモニタ１１に表示する。入力手段１３により点ｅを指示し、平行線の指示を与え、平行線手段１２４が点ｅを通過する線１１２に平行な平行線１１３を表示する。そして、平行線手段１２４は、医療画像データのピクセルピッチに基づいて、線１１２と平行線１１３との距離も医療画像データの原寸でモニタ１１に表示する。医師は表示結果により診断を行う。
【００２３】
このように、平行線手段１２４により、線１１２に平行な平行線１１３をモニタ１１に表示するので、医療画像の平行度等を判断できる。つまり、判断がすばやく、見誤ることなく、診断を行うことができる。
【００２４】
また、平行線手段１２４が、線１１２と平行線１１３との距離を医療画像データの原寸でモニタ１１に表示するので、医療画像の各部の計測を容易に行うことができる。
【００２５】
そして、医師は、図３に示すように、入力手段１３により制御部１２を操作し、線手段１２２が線１１４をモニタ１１に表示すると共に、医療画像データのピクセルピッチに基づいて、線１１４の長さを医療画像データの原寸でモニタ１１に表示する。再び、入力手段１３により点ｆを指示し、垂線の指示を与え、垂線手段１２５が点ｆから線１１４への最短長さの線分、つまり、垂直な垂線１１５を表示する。そして、垂線手段１２５は、医療画像データのピクセルピッチに基づいて、垂線１１５の長さも医療画像データの原寸でモニタ１１に表示する。医師は表示結果により診断を行う。
【００２６】
このように、垂線手段１２５により、線１１４に垂直な垂線１１５をモニタ１１に表示するので、医療画像の垂直度等を判断できる。つまり、判断がすばやく、見誤ることなく、診断を行うことができる。
【００２７】
また、垂線手段１２５により、垂線１１５の長さを医療画像データの原寸で表示するので、医療画像の各部の計測を容易に行うことができる。
【００２８】
なお、本発明はこれに限定されるものではなく、等分点を●で表示する構成を示したが、×等で表示する構成でもよい。すなわち、表示形式に限定されるものではない。
【００２９】
また、線手段１２２、等分手段１２３、平行線手段１２４、垂線手段１２５は、医療画像データのピクセルピッチによる情報により、原寸の大きさを表示する構成を示したが、画像手段１２１が原寸で医療画像を表示すれば、表示画面上の長さを表示する構成でもよい。
【００３０】
【発明の効果】
本発明によれば、以下のような効果がある。
請求項１によれば、等分手段により、線のｎ等分する点を表示部に表示するので、医療画像の大きさの比等を判断できる。つまり、判断がすばやく、見誤ることなく、診断を行うことができる。
【００３１】
請求項２によれば、平行線手段により、線に平行な平行線を表示部に表示するので、医療画像の平行度等を判断できる。つまり、判断がすばやく、見誤ることなく、診断を行うことができる。
【００３２】
請求項３によれば、平行線手段が、線と平行線との距離を医療画像データの原寸で表示部に表示するので、医療画像の各部の計測を容易に行うことができる。
【００３３】
請求項４によれば、垂線手段により、線に垂直な垂線を表示部に表示するので、医療画像の垂直度等を判断できる。つまり、判断がすばやく、見誤ることなく、診断を行うことができる。
【００３４】
請求項５によれば、垂線手段により、垂線の長さを医療画像データの原寸で表示するので、医療画像の各部の計測を容易に行うことができる。
【００３５】
請求項６によれば、線のｎ等分する点を表示部に表示するので、医療画像の大きさの比等を判断できる。つまり、判断がすばやく、見誤ることなく、診断を行うことができる。
【００３６】
請求項７によれば、線に平行な平行線を表示部に表示するので、医療画像の平行度等を判断できる。つまり、判断がすばやく、見誤ることなく、診断を行うことができる。
【００３７】
請求項８によれば、線に垂直な垂線を表示部に表示するので、医療画像の垂直度等を判断できる。つまり、判断がすばやく、見誤ることなく、診断を行うことができる。
【図面の簡単な説明】
【図１】本発明の一実施例を示した構成図である。
【図２】図１に示す装置の表示例を示した図である。
【図３】図１に示す装置の表示例を示した図である。
【符号の説明】
１０  医療画像表示装置
１１  モニタ
１２１  画像手段
１２２  線手段
１２３  等分手段
１２４  平行線手段
１２５  垂線手段
【図１】
0004228263.tif 000002
【図２】
0004228263.tif 000003
【図３】
0004228263.tif 000004